(57)【要約】【課題】実用的な可動レールと積載レールの三段式スライドレールの連動設計を提供する。【解決手段】積載レール２後部のアーチ型面上に設置する穿孔２１は軸栓２２により連動部品７を嵌設する。連動部品７は上に弾力アームをプレス成型した平板主体を具え、積載レール２の穿孔に近い位置には透空槽２３と槽孔２４を設置する。レバーと弾力アームはそれぞれ透空槽２３と槽孔２４に穿通する。連動部品７は位置回復の弾力を具える。可動レール１上には内面へと突出する凸片を設置し、かつ固定レール３内面には固定解除部品７を設置する。これにより可動レール１は引き伸ばされた時、凸片１１により連動部品７の壁板に抵触し、積載レール２と共に連動されスライド移動し、さらに固定解除部品８によりレバー７３を押す。連動部品７は傾き、凸片１１は連動部品７を離脱し、可動レール１は再び積載レール２に沿って最終の伸展状態まで引き出される。【選択図】図１
0003119212.tif 000002
【実用新案登録請求の範囲】
【請求項１】
少なくとも可動レール、積載レール、固定レールを含み、
該可動レール上には内面へと突出する凸片を設置し、該凸片はさらに停止辺を具え、
該積載レールは中央がアーチ状を呈する断面造形を具え、このアーチ型面の後部上は軸栓により連動部品を嵌設し、該アーチ型面後部には透空槽と槽孔を設置し、
該固定レールは内面にアーチ型に盛り上がった長方体を呈する固定解除部品を設置し、
該連動部品は該積載レールのアーチ型面に密着する平板主体を具え、その上にはひんじ孔を具え該軸栓が穿設し、該平板主体片側には湾曲成型し板面が上を向いた壁板を設置し、かつ該壁板上縁は延伸し反対に折れかつ面積は該平板主体底面のレバーを超え、該レバーは該積載レールの透空槽に穿伸し、該平板主体上には弾力アームをプレス成型し、該弾力アームは該積載レールの槽孔に穿設、抵触し、これにより連動部品は位置回復の弾力を具え、
該可動レールは引き伸ばされると、該凸片の停止辺により該連動部品の壁板に接触し、該積載レールと共に連動されスライド移動し、さらに該固定解除部品により該レバーを押し、これにより該連動部品は傾き、該凸片は該連動部品を離脱し、該可動レールを該積載レールに沿って最終の伸展状態まで引き出すことを特徴とする三段式スライドレールの連動装置。
【請求項２】
前記固定解除部品は弓形アーチを描く長方体に成型し、その両端の前記固定レール内面に密着し、孔を設置しリベット固定することを特徴とする請求項１記載の三段式スライドレールの連動装置。
【請求項３】
前記固定解除部品は前記固定レール上においてプレスにより一体成型可能であり、直接アーチを描く長方体を形成可能であることを特徴とする請求項１記載の三段式スライドレールの連動装置。
【考案の詳細な説明】
【技術分野】
【０００１】
本考案は、三段式スライドレールの連動装置に関し、特に可動レールが引かれ伸びる時、積載レールもそれと共に一緒に連動スライド移動を行い、積載レールが末端まで移動後、可動レールは連動を自動的に解除し、自動的に伸展する三段式スライドレールの連動装置に関する。
【背景技術】
【０００２】
一般の三段式スライドレールは通常、固定レール（外レール）、積載レール（中レール）、可動レール（内レール）を含む。この種の三段式スライドレールにおいては普通、積載レール（中レール）はスライドレールが完全に引き出され全展開位置にある時、定位状態を維持し、可動レール（内レール）に従い連動し引かれ移動する。このような連動機構の設計は特許文献１，特許文献２、特許文献３、特許文献４、特許文献５，特許文献６および特許文献７などで目にすることが可能である。
【０００３】
【特許文献１】米国特許第５５５１７７５号
【特許文献２】米国特許第５７５７１０９号
【特許文献３】第２００２／００５７０４２号
【特許文献４】第２００３／００８０６５９号
【特許文献５】第２００３／０１０７３０９号
【特許文献６】第２００３／０１１１９４２号
【特許文献７】第２００３／０１７８９２２号
【考案の開示】
【考案が解決しようとする課題】
【０００４】
しかしながら、各産業界ではさらにシンプルで実用的な可動レールと積載レールの連動設計が求められている。
本考案は上記構造の問題点を解決するものである。
したがって本考案の目的は、よりシンプルで実用的な可動レールと積載レールの三段式スライドレールの連動設計を提供することにある。
【課題を解決するための手段】
【０００５】
上述の目的を達成するために本考案の請求項に記載の三段式スライドレールの連動装置は、主に可動レールが引かれ伸びる時、積載レールもそれと共に一緒に連動スライド移動を行い、積載レールが末端まで移動後、可動レールは連動を自動的に解除し、自動的に伸展する。
すなわち積載レール後部のアーチ型面上に設置する穿孔は軸栓により連動部品を嵌設し、連動部品は平板主体を具え、平板主体片側には湾曲成型し板面が上を向いた壁板を設置し、かつ壁板上縁は延伸し反対に折れ、かつ面積は向下平板主体底面のレバーを超える。平板主体上には弾力アームをプレス成型し、積載レールの穿孔に近い位置には透空槽と槽孔を設置し、これによりレバーと弾力アームはそれぞれ透空槽と槽孔に穿通し、かつ弾力アームは槽孔に抵触し、これにより連動部品は位置回復の弾力を具える。
【０００６】
可動レール上には内面へと突出する凸片を設置し、かつ固定レール内面には固定解除部品を設置する。これにより可動レールは引き伸ばされた時、凸片により連動部品の壁板に抵触し、積載レールと共に連動されスライド移動し、さらに固定解除部品によりレバーを押す。連動部品は傾き、凸片は連動部品を離脱し、可動レールは再び積載レールに沿って最終の伸展状態まで引き出されることを特徴とする三段式スライドレールの連動装置である。
【考案の効果】
【０００７】
上記のように、本考案は可動レールが引かれ伸びる時、積載レールもそれと共に一緒に連動スライド移動を行い、積載レールが末端まで移動後、可動レールは連動を自動的に解除することが可能である。
【考案を実施するための最良の形態】
【０００８】
以下、本考案の実施例を図面に基づいて説明する。
図１、図２、図３に示すように、本考案の連動装置を運用し実施する三段式スライドレール構造の基本主体は可動レール１、積載レール２、固定レール３を含む。
可動レール１と積載レール２間、積載レール２と固定レール３間にはそれぞれスライド補助部品４、５を設置し、ボール積載形式の滑動を行う。かつ積載レール２前端にはサポートスライド台６を設置するが、スライド補助部品４、５とサポートスライド台６は本考案が実用新案を請求する「三段式スライドレール」の特徴構成部品ではない。
【０００９】
可動レール１上には内面へと突出する凸片１１を設置し、凸片１１はさらに停止辺１１１と導引辺１１２を具える。
積載レール２は中央がアーチ型面状を呈する断面造形で、アーチ型面の後部上には穿孔２１を設置し、軸栓２２により穿結、固定される。またアーチ型面後部の穿孔２１に近い位置には透空槽２３と槽孔２４を設置し、この部位上には連動部品７を設置する。
固定レール３は内面に固定解除部品８を設置し、固定解除部品８はさらに弓形にアーチを描く長方体に成型する。その両端は固定レール３内面に密着し固定され、具体的な固定方式は設孔８１によるリベット固定である。
【００１０】
連動部品７は積載レール２アーチ型面に密着する平板主体７１を具え、その上にはひんじ孔７１１を具え、軸栓２２が嵌設される。また平板主体７１片側には湾曲成型し板面が上を向いた壁板７２を設置し、かつ壁板７２上縁は延伸し反対に折れ、向下かつ面積は平板主体７１底面のレバー７３を超えている。レバー７３は積載レール２の透空槽２３を穿通可能で、平板主体７１上には弾力アーム７４をプレス成型する。弾力アーム７４は積載レール２の槽孔２４に穿設し、これにより連動部品７は位置回復の弾力を具える。
【００１１】
図４に示すように、上述の設計においてスライドレールが収納状態にある時には、可動レール１上の凸片１１は積載レール２上の連動部品７の後方にあり相互に離れている。
次に図５、図６に示すように、可動レール１が引き出され伸展すると、可動レール１は凸片１１の停止辺１１１により連動部品７の壁板７２後端に接触し、積載レール２を連動し一緒に引き出し移動させる。
【００１２】
また可動レール１と積載レール２が連動され引き出され、連動部品７が固定レール３上の固定解除部品８位置に到達すると、図７、図８に示すように、弾性作用力を持ち傾斜する連動部品７は積載レール２透空槽２３を貫通するレバー７３により、固定解除部品８のアーチ側辺に沿ってスライド接触し、徐々に連動部品７を傾かせる。これにより可動レール１の凸片１１停止辺１１１は連動部品７の壁板７２端部に接触しなくなり、可動レール１は積載レール２に相対し引き伸ばされ、再び連動移動の状態になることはない（図９参照）。
【００１３】
こうして、積載レール２が固定レール３に相対し極限まで引き伸ばされた後、図１０に示すように、連動部品７はレバー７３により固定解除部品８に接触し、これにより可動レール１の凸片１１は連動部品７の壁板７２に接触不能となり、可動レール１もまた引き伸ばされ、この三段式スライドレールの最終伸展を完成する。
【００１４】
図１１に示すように、本考案の別の実施例では固定レール３Ａ上の固定解除部品８Ａは固定レール３Ａ上にプレスにより一体成型可能で、アーチを描く長方体を形成することが可能である。
【図面の簡単な説明】
【００１５】
【図１】本考案の実施例による三段式スライドレールの連動装置を示す分解図である。
【図２】本考案の実施例による三段式スライドレールの連動装置を示す局部拡大分解図である。
【図３】本考案の実施例による三段式スライドレールの連動装置の立体組合せ図である。
【図４】本考案の実施例による三段式スライドレールの連動装置の組合せ収納指示図である。
【図５】本考案の実施例による三段式スライドレールの連動装置を外へと引き出す作動状態指示図（一）である。
【図６】本考案の実施例による三段式スライドレールの連動装置を外へと引き出す作動状態指示図（二）である。
【図７】本考案の実施例による三段式スライドレールの連動装置を外へと引き出す作動状態指示図（三）である。
【図８】本考案の実施例による三段式スライドレールの連動装置を外へと引き出す作動状態指示図（四）である。
【図９】本考案の実施例による三段式スライドレールの連動装置を外へと引き出す作動状態指示図（五）である。
【図１０】本考案の実施例による三段式スライドレールの連動装置を最終伸展状態指示図である。
【図１１】本考案の別の実施例による三段式スライドレールの連動装置を示す局部拡大図である。
【符号の説明】
【００１６】
１  可動レール、２  積載レール、３  固定レール、３Ａ  固定レール、４  スライド補助部品、５  スライド補助部品、６  サポートスライド台、７  連動部品、８  固定解除部品、８Ａ  固定解除部品、１１  凸片、２１  穿孔、２２  軸栓、２３  透空槽、２４  槽孔、７１  平板主体、７２  壁板、７３  レバー、７４  弾力アーム、８１  孔、１１１  停止辺、１１２  導引辺、７１１  ひんじ孔、
【図１】
0003119212.tif 000003
【図２】
0003119212.tif 000004
【図３】
0003119212.tif 000005
【図４】
0003119212.tif 000006
【図５】
0003119212.tif 000007
【図６】
0003119212.tif 000008
【図７】
0003119212.tif 000009
【図８】
0003119212.tif 000010
【図９】
0003119212.tif 000011
【図１０】
0003119212.tif 000012
【図１１】
0003119212.tif 000013